(57)【特許請求の範囲】
【請求項１】
上部に給油口を有する円筒状のリザーバーアッパー（１０）と、該リザーバーアッパー（１０）の下部に接合されるリザーバーロア（１１）と、タンク内部に設けられるバッフラー（１２）及びストレーナー（１３）とを具備するオイルリザーバータンクにおいて、
前記リザーバーアッパー（１０）とリザーバーロア（１１）との間に前記バッフラー（１２）を押圧保持するバッフラー保持手段を設け、
前記リザーバーロア（１１）の上面にストレーナー（１３）及びバッフラー（１２）を順次載置し、その状態でリザーバーアッパー（１０）を被せてリザーバーロア（１１）に接合し、前記ストレーナー（１３）及びバッフラー（１２）をバッフラー保持手段とリザーバーロア（１１）との間に保持しており、
前記バッフラー保持手段は、前記リザーバーアッパー（１０）の内周に設けられていて且つバッフラー（１２）の外周部上面を支持する段差（１４）であり、
前記段差（１４）は、前記円筒状のリザーバーアッパーの外周に凹部１０ｄを形成することにより、形成されること特徴とするリザーバータンクの内部構成品固定構造。
【請求項２】
上部に給油口を有する円筒状のリザーバーアッパー（１０）と、該リザーバーアッパー（１０）の下部に接合されるリザーバーロア（１１）と、タンク内部に設けられるバッフラー（１２）及びストレーナー（１３）とを具備するオイルリザーバータンクにおいて、
前記リザーバーアッパー（１０）とリザーバーロア（１１）との間に前記バッフラー（１２）を押圧保持するバッフラー保持手段を設け、
前記リザーバーロア（１１）の上面にストレーナー（１３）及びバッフラー（１２）を順次載置し、その状態でリザーバーアッパー（１０）を被せてリザーバーロア（１１）に接合し、前記ストレーナー（１３）及びバッフラー（１２）をバッフラー保持手段とリザーバーロア（１１）との間に保持しており、前記バッフラー保持手段は、前記バッフラー（１２）の上面から前記リザーバーアッパーの上部内面に届くように設けられた円筒形のリブ（１５）であり、
前記円筒形のリブ（１５）は、前記リザーバーアッパー（１０）の上部内面に当接することにより、前記バッフラー（１２）を押圧することを特徴とするリザーバータンクの内部構成品固定構造。
【発明の詳細な説明】
【０００１】
【発明の属する技術分野】
本発明はリザーバータンクの内部構成品固定構造に関する。詳しくは、自動車のパワーステアリング等に用いられる樹脂製のオイルリザーバータンクにおいて、組立て工程を簡単化したリザーバータンクの内部構成品固定構造に関する。
【０００２】
【従来の技術】
図５及び図６は従来の樹脂製オイルリザーバータンクを示す図で、図５は分解斜視図、図６は組立て断面図である。このオイルリザーバータンクは、リザーバーアッパー１と、リザーバーロア２と、バッフラー３と、ストレーナー４とを具備している。そして、リザーバーアッパー１は、樹脂にて形成され、上部にキャップ５により封止される給油口１ａを有した円筒状であり、リザーバーロア２は、樹脂にてカップ状に形成され、オイル流入口２ｂ及びオイル出口２ｃを有している。
【０００３】
またバッフラー３は、樹脂にてリング状の枠３ａにオイル誘導部３ｂが支持されるように形成されている。また、ストレーナー４は、円形の金属製メッシュ４ｂの外周がリング状の枠４ａに囲まれて形成されている。
このように形成された各部材は、図６の如く組み立てられる。即ち、バッフラー３及びストレーナー４は、リザーバーロア２にＡ部で超音波溶着により接合され、リザーバーアッパー１とリザーバーロア２とは、Ｂ部でバイブレーション溶着により接合されている。
【０００４】
【発明が解決しようとする課題】
上記のような従来のオイルリザーバータンクにおいては、超音波溶着部Ａとバイブレーション溶着部Ｂの２個所の溶着個所があるため、２種の溶着設備及び２種の治具を要し、製造コストが高くなるという問題がある。
【０００５】
本発明は、上記従来の問題点に鑑み、オイルリザーバータンクにおいて、従来に比して製造コストが低減されるリザーバータンクの内部構成品固定構造を実現することを目的とする。
【０００６】
【課題を解決するための手段】
上記目的を達成するために、本発明のリザーバータンクの内部構成品固定構造は、上部に給油口を有する円筒状のリザーバーアッパー１０と、該リザーバーアッパー１０の下部に接合されるリザーバーロア１１と、タンク内部に設けられるバッフラー１２及びストレーナー１３とを具備するオイルリザーバータンクにおいて、前記リザーバーアッパー１０とリザーバーロア１１との間に前記バッフラー１２を押圧保持するバッフラー保持手段を設け、前記リザーバーロア１１の上面にストレーナー１３及びバッフラー１２を順次載置し、その状態でリザーバーアッパー１０を被せてリザーバーロア１１に接合し、前記ストレーナー１３及びバッフラー１２をバッフラー保持手段とリザーバーロア１１との間に保持する。
本発明の第１の形態の内部構成品固定構造では、バッフラー保持手段は、リザーバーアッパー１０の内周に設けられていてバッフラー１２の外周部上面を支持する、段差１４であり、段差１４は、円筒状のリザーバーアッパー１０（即ち、円筒部）の外周に凹部１０ｄを形成することにより形成されることを特徴とする。
本発明の第２の形態の内部構成品固定構造では、バッフラー保持手段は、バッフラー１２の上面からリザーバーアッパー１０の上部内面に届くように設けられた円筒形のリブ１５であり、円筒形のリブ１５は、リザーバーアッパー１０の上部内面に当接することにより、バッフラー１２を押圧することを特徴とする。
【０００７】
この構成を採ることにより、バッフラーとストレーナーをリザーバーアッパーとリザーバーロアで挟み込むため、従来２個所あった溶着個所が１個所になり、コストダウンが可能となる。
【０００８】
【発明の実施の形態】
図１及び図２は本発明のリザーバータンクの内部構成品固定構造の第１の実施の形態を示す図で、図１は分解斜視図、図２は組立図であり、図２（ａ）は断面図、図２（ｂ）は図２（ａ）のＢ部拡大図である。両図において、符号１０はリザーバーアッパー、１１はリザーバーロア、１２はバッフラー、１３はストレーナーである。
【０００９】
前記リザーバーアッパー１０は、樹脂にて形成され、上部に設けられた給油口１０ａと下部に設けられたオイル流入口１０ｂ及びフランジ部１０ｃを有した円筒状であり、更に該円筒部の内部にはバッフラー１２を保持する保持手段としての段差部１４（図２参照）が形成されており、この段差部１４を形成するため円筒部の外周には凹部１０ｄが形成されている。なお、この段差部１４及び凹部１０ｄを設けるのは円筒部の全周でも、あるいは図示の如く部分的であっても良い。また、段差部１４は図２に示すように、リザーバーアッパー１０の底部からバッフラー１２の高さに等しい位置に設けられる。
【００１０】
また、リザーバーロア１１は、樹脂にてフランジ１１ａを有するカップ状に形成され、オイル出口１１ｂと、内部に円筒形のストレーナー支持部１１ｃが設けられている。なお、フランジ１１ａには凸部１１ｄが形成されている。また、バッフラー１２は円筒形のリブ１２ａにオイル誘導部１２ｂが支持されるように樹脂にて形成されている。また、ストレーナー１３は、円形の金属製又は樹脂製メッシュ１３ｂの外周をリング状の樹脂枠１３ａによりインサートしている。
【００１１】
このように形成された各部材は図２（ａ）の如くに組立てられる。即ち、リザーバーロア１１の上に、ストレーナー１３とバッフラー１２とが載置され、その上からリザーバーアッパー１０が被せられ、そのフランジ部１０ｃとリザーバーロア１１のフランジ部１１ａの凸部１１ｄとをバイブレーション溶着により接合している。このように組立てられた本実施の形態は、図２（ｂ）の如く、ストレーナー１３がリザーバーロア１１に支持され、ストレーナー１３上に載置されたバッフラー１２はリザーバーアッパー１０の段差部１４によって押圧されストレーナー１３と共に固定される。このように構成された本実施の形態は溶着個所が１個所のみであるため、従来に比してコストダウンが可能となる。
【００１２】
図３は本発明のリザーバータンクの内部構成品固定構造の第２の実施の形態を示す図で、（ａ）は組立断面図、（ｂ）は要部斜視図である。本実施の形態が前実施の形態と異なるところは、前実施の形態のバッフラー保持手段である段差部１４の代わりに、バッフラー１２の上面からリザーバーアッパー１０上部内面に届く円筒形リブ１５を設けたことである。このように構成された本実施の形態は（ａ）図の如く円筒形のリブ１５によりバッフラー１２を押圧することができるため前実施の形態と同様な作用効果を有している。
【００１３】
図４は本発明のリザーバータンクの内部構成品固定構造の第３の実施の形態を示す図で、（ａ）は組立断面図、（ｂ）はリザーバーアッパーを下方より見た要部斜視図である。本実施の形態が前第１の実施の形態と異なるところは、前第１の実施の形態の段差１４の代わりに、バッフラー１２の上部を押圧することができる多数のヒレ状のリブ１６を設けたことである。このように構成された本実施の形態は（ａ）図の如くリブ１６によりバッフラー１２を押圧することができるため前記第１の実施の形態と同様な作用効果を有している。
【００１４】
【発明の効果】
本発明のリザーバータンクの内部構成品固定構造に依れば、溶着個所が１個所のみであるので,従来の２個所に比してコストダウンが可能となる。
【図面の簡単な説明】
【図１】本発明のリザーバータンクの内部構成品固定構造の第１の実施の形態を示す分解斜視図である。
【図２】本発明のリザーバータンクの内部構成品固定構造の第１の実施の形態を示す図で、（ａ）は断面図、（ｂ）は（ａ）図のＢ部拡大図である。
【図３】本発明のリザーバータンクの内部構成品固定構造の第２の実施の形態を示す図で、（ａ）は組立断面図、（ｂ）は要部斜視図である。
【図４】本発明のリザーバータンクの内部構成品固定構造の第３の実施の形態を示す図で、（ａ）は組立断面図、（ｂ）はリザーバーアッパーを下方より見た要部斜視図である。
【図５】従来のオイルリザーバータンクの１例を示す分解斜視図である。
【図６】従来のオイルリザーバータンクの１例を示す組立分解斜視図である。
【符号の説明】
１０…リザーバーアッパー
１０ａ…給油口
１０ｂ…オイル流入口
１０ｃ，１１ａ…フランジ部
１０ｄ…凹部
１１…リザーバーロア
１１ｂ…オイル出口
１１ｃ…ストレーナー支持部
１２…バッフラー
１２ａ…円筒状リブ
１２ｂ…オイル誘導部
１３…ストレーナー
１３ａ…樹脂枠
１３ｂ…金属製又は樹脂製メッシユ
１４…段差部
１５…円筒形リブ
１６…リブ
【図１】
0003950334.tif 000002
【図２】
0003950334.tif 000003
【図３】
0003950334.tif 000004
【図４】
0003950334.tif 000005
【図５】
0003950334.tif 000006
【図６】
0003950334.tif 000007